(57)【要約】【課題】開蓋操作と閉蓋操作がスムーズに行え、また、収納されているフィルタ容易に取り出すことを可能にする。【解決手段】フィルタ４を収納する本体部１と開閉蓋部２とが、ヒンジ部３を介して開閉自在に形成されたフィルタ収納ケースＡであって、本体部１には、開閉蓋部２との間に収納空間を形成する本体側壁部１ｂが設けられており、本体側壁部１ｂは、フィルタ４の厚さよりも幅の狭い低壁１ｄと、低壁１ｄより幅が広く且つその低壁と連続的に形成された高壁１ｅとを有しており、開閉蓋部２には、本体側壁部１ｂに対応する位置に開閉蓋側壁部２ｂが設けられており、開閉蓋側壁部２ｂは、本体側壁部１ｂの先端が当接する縁部２ｃと、縁部２ｃの内側にリブ形状に形成され、閉蓋状態において、本体側壁部１ｂの内周面に当接又は接近して、本体部１と開閉蓋部２との位置決めをする位置決め突起壁２ｄとを有している。【選択図】        図２
2004352324.tif 000002
【特許請求の範囲】
【請求項１】
フィルタを収納する本体部と開閉蓋部とが、ヒンジ部を介して開閉自在に形成されたフィルタ収納ケースであって、
前記本体部には、前記開閉蓋部との間に収納空間を形成する本体側壁部が設けられており、
前記本体側壁部は、
前記フィルタの厚さよりも幅の狭い低壁部と、
前記低壁部より幅が広く且つその低壁部と連続的に形成された高壁部とを有しており、
前記開閉蓋部には、前記本体側壁部に対応する位置に開閉蓋側壁部が設けられており、
前記開閉蓋側壁部は、
前記本体側壁部の先端が当接する縁部と、
前記縁部の内側にリブ形状に形成され、前記本体側壁部の内周面に当接又は接近して、前記本体部と前記開閉蓋部との位置決めをする位置決め突起壁部とを有していること、
を特徴とするフィルタ収納ケース。
【請求項２】
請求項１に記載のフィルタ収納ケースにおいて、
前記本体部、前記開閉蓋部及び前記ヒンジ部は、合成樹脂材を用いて形成され、
前記位置決め突起壁部は、前記ヒンジ部と対向する前記開閉蓋側壁部の先端部分に、前記開閉蓋部を閉じる際の前記開閉蓋側壁部と前記本体部側壁部との干渉を防止するための切り欠き部を備えること、
を特徴とするフィルタ収納ケース。
【発明の詳細な説明】
【０００１】
【発明の属する技術分野】
本発明は、フィルタを収納する本体部と開閉蓋部とが、ヒンジ部を介して開閉自在に形成され、開蓋操作又は閉蓋操作を行うことができるフィルタ収納ケースに関するものである。
【０００２】
【従来の技術】
従来、この種の収納ケースは、合成樹脂材を用いて射出成形などを行うことにより、本体部と開閉蓋部とがヒンジ部を介して開閉自在に一体成形され、収納物を本体部に収納するようになっている。
このような収納ケースは、開蓋操作を行うときは、片手で本体側壁部を保持して支え、もう一方の手で開閉蓋側壁部を挟むように保持しながら、開閉蓋部を上方に持ち上げ、また、閉蓋時も同様に保持して閉蓋操作を行っていた。
【０００３】
また、開閉蓋側壁部の外周側面には、本体側壁部の先端面を受ける縁部が設けてあり、その縁部の内側には、開閉蓋部を閉じた際に、本体部との位置決めを行うためのリブ形状の位置決め突起が設けてあり、その位置決め突起は、閉蓋状態では、本体側壁部の内周面に当接又は接近するようになっている。
【０００４】
上述した収納ケースの一例として、底面板上に、一対の側面リブと後面板とを設けて形成された収納本体部と、該収納本体部の上記底面板上に収納されるテープカセットを覆蓋するように形成された、上面板、前面板及び一対の側面板を有する開閉蓋部とからなり、一対の上記側面リブそれぞれの外側に、上記開閉蓋部の閉蓋時に一対の上記側面板の端面と当接し、且つ該端面の巾と同一巾である受部を有しており、上記収納本体部と上記開閉蓋部とが、上記後面板の上縁部と上記上面板の後縁部との結合部をヒンジ部として一体成形されているテープカセット収納ケースが知られている（例えば、特許文献１）。
【０００５】
【特許文献１】
特開平７−２３７６８８号公報
【０００６】
【発明が解決しようとする課題】
しかし、上述した従来の収納ケースでは、開蓋操作時においては、開蓋を可能にするために本体側壁部を手で保持しているが、その本体側壁部を保持している手によって、開閉蓋部も同時に保持してしまう可能性があるので、開閉蓋部を持ち上げにくく、開蓋操作がスムーズに行えないおそれがあった。
また、閉蓋操作時においては、本体側壁部を保持している手が、開閉蓋側壁部と本体側壁部との閉蓋方向の間に挟まれる可能性があった。
この問題は、例えば、カメラレンズ部の先端に装着する光学フィルタのような小物を、ガタつきなく収納するためのコンパクトサイズの収納ケースにおいては、本体側壁部を保持する面積が狭いために、顕著に生じる可能性があった。
【０００７】
一方、従来の収納ケースでは、閉蓋操作時に、ラッチ部側付近において、ヒンジ部の弾性力の影響により、開閉蓋部に設けた位置決め突起壁が、本体側壁部の内周面に当接又は接近することができず、本体側壁部と干渉してしまい、閉蓋操作に支障をきたす可能性があった。
【０００８】
本発明の課題は、開蓋操作と閉蓋操作がスムーズに行え、また、収納されているフィルタを容易に取り出すことができるフィルタ収納ケースを提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。
すなわち、請求項１の発明は、フィルタ（４）を収納する本体部（１）と開閉蓋部（２）とが、ヒンジ部（３）を介して開閉自在に形成されたフィルタ収納ケース（Ａ）であって、前記本体部には、前記開閉蓋部との間に収納空間を形成する本体側壁部（１ｂ）が設けられており、前記本体側壁部は、前記フィルタの厚さよりも幅の狭い低壁部（１ｄ）と、前記低壁部より幅が広く且つその低壁部と連続的に形成された高壁部（１ｅ）とを有しており、前記開閉蓋部には、前記本体側壁部に対応する位置に開閉蓋側壁部（２ｂ）が設けられており、前記開閉蓋側壁部は、前記本体側壁部の先端が当接する縁部（２ｃ）と、前記縁部の内側にリブ形状に形成され、前記本体側壁部の内周面に当接又は接近して、前記本体部と前記開閉蓋部との位置決めをする位置決め突起壁部（２ｄ）とを有していること、を特徴とするフィルタ収納ケースである。
【００１０】
請求項２の発明は、請求項１に記載のフィルタ収納ケースにおいて、前記本体部、前記開閉蓋部及び前記ヒンジ部は、合成樹脂材を用いて形成され、前記位置決め突起壁部は、前記ヒンジ部と対向する前記開閉蓋側壁部の先端部分に、前記開閉蓋部を閉じる際の前記開閉蓋側壁部と前記本体部側壁部との干渉を防止するための切り欠き部（２ｆ）を備えること、を特徴とするフィルタ収納ケースである。
【００１１】
【発明の実施の形態】
以下、図面等を参照して、本発明の実施の形態について、さらに、詳しく説明する。
図１〜図６は、本発明によるフィルタ収納ケースの実施形態を示す図であって、図１は、閉蓋状態の斜視図、図２は、開蓋状態の斜視図、図３は、開蓋状態でフィルタ収納時の断面図、図４は、開蓋状態でフィルタ収納時の側面図、図５は、閉蓋操作時の断面図、図６は、図２のＢ‐Ｂ断面図である。
【００１２】
図１に示すように、本実施形態のフィルタ収納ケースＡは、合成樹脂材を用いて射出成形を行うことにより、フィルタ４（図２参照）を収納する本体部１と、開閉蓋部２とがヒンジ部３を介して、開閉自在に一体成型されている。
このフィルタ収納ケースＡは、本体部１に形成された本体側ラッチ１ａと、開閉蓋部２に形成された開閉蓋側ラッチ２ａとが、互いに嵌合し合うことによって、閉蓋状態を保持することができる。
【００１３】
図２に示すように、本体部１は、本体側底面１ｃ上にフィルタ４を置くための円形状リブ１ｆが、本体側底面１ｃ上に垂直に設けられている。
そして、図３に示すように、円形状リブ１ｆの先端面１ｇに、フィルタ４の胴付き面４ａを当接させて、フィルタ４を収納することが可能となっている。
【００１４】
図４に示すように、本体部１は、開閉蓋部２との間に収納空間を形成する本体側壁部１ｂが設けられており、この本体側壁部１ｂの外側面に垂直な方向から収納されたフィルタ４を見たときに、収納されたフィルタ４が本体側壁部１ｂの先端面１ｈより上に出るように、フィルタ４の厚さよりも幅の狭い低壁１ｄが設けられている。
また、本体部１には、低壁１ｄより高く（幅が広く）、且つ、低壁１ｄと連続的に形成され、連続して繋がって段々と高くなっている高壁１ｅが、ヒンジ部３寄りに設けられている。
【００１５】
一方、開閉蓋部２は、本体側壁部１ｂに対応する位置に開閉蓋側壁部２ｂが設けられており、この開閉蓋側壁部２ｂは、本体側壁部１ｂの先端面１ｈが当接する縁部２ｃと、その縁部２ｃの内側に形成され、閉蓋状態において、本体部１と開閉蓋部２とのガタ付を防止し、位置決めを行うためのリブ形状の位置決め突起壁２ｄとを備えている。
開閉蓋部２の縁部２ｃは、ヒンジ部３に近づくにつれて徐々に高さが低くなり、最終的には、開閉蓋部２の上面２ｅと同じ高さになり、開閉蓋部２を閉じた際に本体部１の高壁１ｅに当接する。
【００１６】
これにより、開蓋操作時において、本体部１に設けてある両サイドの高壁１ｅを保持することによって、もう一方の手で開閉蓋側壁部２ｂを上方に持ち上げる際に、本体側壁部１ｂを保持している手で同時に開閉蓋部２ｂを保持してしまい、開閉蓋側壁部２ｂを持ち上げにくくなることを防ぐことができる。
また、高壁１ｅの保持面積が大きいため、保持し易く、開蓋操作をスムーズに行うことが可能である。
【００１７】
さらに、開蓋操作を終え、収納されているフィルタ４を取り出すときは、図４に示すように、本体側壁部１ｂに垂直な方向から収納されたフィルタ４を見たときに、収納されたフィルタ４が本体側壁部１ｂの先端面１ｈより上に出るように低壁１ｄを設けてある。このため、フィルタ４が取り出しやすくなる。
特に、フィルタ４のような収納物を、ガタつきなく収納できるコンパクトサイズの収納ケースＡにおいては、本体部１を保持する面積が狭いため、本発明の適用は有効である。
【００１８】
一方、閉蓋操作時において、保持面積の大きい高壁１ｅを保持することで、開閉蓋側壁部２ｂと本体側壁部１ｂとの閉蓋方向の間に、高壁１ｅを保持している手を挟まず、スムーズに閉壁操作を行うことが可能である。
【００１９】
また、図２に示すように、開閉蓋部２に設けた位置決め突起壁２ｄの開閉蓋側ラッチ２ａ側付近（ヒンジ部３と対向する開閉蓋側壁部２ｂの先端部分）に切り欠き２ｆが設けられている。
これにより、図５に示すように、閉蓋操作時に、開閉蓋側ラッチ２ａ又は本体側ラッチ１ａ側付近において、開閉蓋部２に設けた位置決め突起壁２ｄと本体側壁部１ｂとのヒンジ部３の弾性力の影響による干渉を防止し、位置決め突起壁２ｄが、本体側壁部１ｂの内周面１ｉに支障なく当接又は接近させることができ、閉蓋操作をスムーズに行うことができる。
【００２０】
また、この位置決め突起壁２ｄは、図６に示すように、長さを従来より長めに設けてあるため、閉蓋状態の本体部１と開閉蓋部２とのガタ付きを防止し、位置決めを行いつつも、閉蓋状態で、開閉蓋部２が本体部１に対して、例え少し浮いたとしても、本体部１と開閉蓋部２との隙間を防ぎ、外部からの塵埃の浸入を防ぐことが可能である。
【００２１】
（変形形態）
以上説明した実施形態に限定されることなく、種々の変形や変更が可能であって、それらも本発明の均等の範囲内である。
上記実施形態では、本体側壁部１ｂは、高壁１ｅがヒンジ部３寄りに設けられている例で説明したが、低壁１ｄがヒンジ部３寄りに設けられていてもよい。
【００２２】
【発明の効果】
以上詳しく説明したように、本発明には、以下のような効果がある。
（１）本体部に、フィルタを取り出しやすくする低壁部と、ヒンジ部寄りに低壁部と連続的に形成されている本体部を保持する高壁部を設けることにより、開蓋操作時に、本体側壁部と開閉蓋側壁部を同時に保持してしまうことで、開閉蓋部を持ち上げにくくし、開蓋操作が困難になることを防止することができ、フィルタを容易に取り出すことができる。
また、閉蓋操作時には、開閉蓋側壁部と本体側壁部との間に、本体部を保持している手を挟んでしまうことを防止することができる。
【００２３】
（２）位置決め突起壁部は、ヒンジ部と対向する位置決め突起壁部の先端部分に、切り欠き部を設けたので、ヒンジ部の弾性力の影響による、位置決め突起壁部と本体側壁部との干渉を防止し、位置決め突起壁部が、本体側壁部の内周面に支障なく当接又は接近することが可能であり、閉蓋操作をスムーズに行うことができる。
【図面の簡単な説明】
【図１】本実施形態によるフィルタ収納ケースの閉蓋状態を示す斜視図である。
【図２】本実施形態によるフィルタ収納ケースの開蓋状態を示す斜視図である。
【図３】本実施形態によるフィルタ収納ケースの開蓋状態でフィルタ収納時を示す断面図である。
【図４】本実施形態によるフィルタ収納ケースの開蓋状態でフィルタ収納時を示す側面図である。
【図５】本実施形態によるフィルタ収納ケースの閉蓋操作時を示す断面図である。
【図６】図２のＢ‐Ｂ断面図である。
【符号の説明】
１  ：本体部
１ａ：本体側ラッチ
１ｂ：本体側壁部
１ｃ：底面
１ｄ：低壁
１ｅ：高壁
１ｆ：円形状リブ
１ｇ：先端面
１ｈ：先端面
１ｉ：内周面
２  ：開閉蓋部
２ａ：開閉蓋側ラッチ
２ｂ：開閉蓋側壁部
２ｃ：縁部
２ｄ：位置決め突起壁
２ｅ：上面
２ｆ：切り欠き
３  ：ヒンジ部
４  ：フィルタ
４ａ：胴つき面
【図１】
2004352324.tif 000003
【図２】
2004352324.tif 000004
【図３】
2004352324.tif 000005
【図４】
2004352324.tif 000006
【図５】
2004352324.tif 000007
【図６】
2004352324.tif 000008